(57)【要約】      （修正有）【課題】プルリングの引っ張りによることなく、内容物の注出用開口を形成することができ、キャップ径が小さい場合にも、内容物の注出用開口を形成することが可能なヒンジキャップを提供する。【解決手段】キャップ本体１；及び、キャップ本体にヒンジ連結され、キャップ本体を覆うように設けられている上蓋３；からなるヒンジキャップにおいて、キャップ本体の頂板部５には、容器内容液の注出用案内となる注出筒と、注出開口予定部１０と、注出開口予定部を閉じるように、注出開口予定部の周縁に形成された無端状の薄肉部を介して該頂板部と一体に形成されたシール板１３とが設けられており、上蓋の天板部内面には、下方に延びている薄肉部引き裂き用の引き裂き具４０が設けられており、引き裂き具は、シール板の周縁部分に溶着されている。【選択図】図１
2005289389.tif 000002
【特許請求の範囲】
【請求項１】
頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結され、前記キャップ本体を覆うように設けられている上蓋；
からなるヒンジキャップにおいて、
前記キャップ本体の頂板部には、容器内容液の注出用案内となる注出筒と、該注出筒の内側に形成された注出開口予定部と、該注出開口予定部を閉じるように、該注出開口予定部の周縁に形成された無端状の薄肉部を介して該頂板部と一体に形成されたシール板とが設けられており、
前記上蓋の天板部内面には、前記キャップ本体の注出筒内面と密着するシール用周状突起と、該シール用周状突起の内側に形成され且つ下方に延びている薄肉部引き裂き用の引き裂き具が設けられており、該引き裂き具は、少なくとも上蓋とキャップ本体とのヒンジ連結部とは反対側の部分と該ヒンジ連結部の近傍部分とで、前記シール板の周縁部分に溶着されていることを特徴とするヒンジキャップ。
【請求項２】
前記上蓋は、キャップ本体の筒状側壁外面に設けられている破断可能な開封履歴明示部材によってキャップ本体に固定されており、該開封履歴部材を破断することにより、上蓋の開封が行われる請求項１に記載のヒンジキャップ。
【請求項３】
前記引き裂き具は、筒状形状を有している請求項１または２に記載のヒンジキャップ。
【請求項４】
前記シール板は、前記注出開口予定部の周縁部の上端もしくは下端に薄肉部を介して一体に形成されて該注出開口予定部を閉じるように設けられている請求項１乃至３の何れかに記載のヒンジキャップ。
【請求項５】
前記シール板は、側断面でみて、中央部が降下したテーパー形状を有している請求項１乃至４の何れかに記載のヒンジキャップ。
【請求項６】
前記注出開口予定部は、前記ヒンジ連結部とは反対側部分において、曲率の小さい小径部が形成された形状を有している請求項１乃至５の何れかに記載のヒンジキャップ。
【請求項７】
少なくとも前記シール板のヒンジ連結部側とは反対側の周縁部は、ヒンジ連結部側に向かって下方に傾斜した傾斜面となっている請求項１乃至６の何れかに記載のヒンジキャップ。
【発明の詳細な説明】
【技術分野】
【０００１】
本発明は、容器内容物を注ぎ出すための開口を、プルリングを用いることなく、上蓋の開封によって自動的に形成することが可能なプルリング無しヒンジキャップに関する。
【背景技術】
【０００２】
プラスチックキャップとしては、容器口部と係合する筒状側壁と、この筒状側壁の上端に形成され且つ容器口部を覆う頂板部とを有するキャップ本体と、該キャップ本体にヒンジ連結された上蓋とからなるヒンジキャップが知られており、このようなヒンジキャップは、例えば各種調味料やドレッシングなどが収容された容器用の蓋として広く使用に供されている。
【０００３】
上記のようなヒンジキャップにおいては、一般に、キャップ本体の頂板部に、内容物取り出し用の開口を形成するためのスコアが無端状に形成されており、この無端状スコアで区画された注出開口予定部に、支柱を介してプルリングが設けられている。即ち、プルリングを指で引っ張り上げることにより、上記の無端状スコアを引裂いて内容物取り出し用の注出開口を形成するようになっている（特許文献１参照）。
【特許文献１】特開平８−１９８２９７号公報
【発明の開示】
【発明が解決しようとする課題】
【０００４】
しかしながら、上記のようにプルリングを指で引っ張り上げることによりスコアを引き裂いて内容物注出用の開口を形成する場合には、スコアを引き裂きやすくするためにはプルリングの径を大きくしなければならないという問題があった。即ち、プルリングが小径であると、プルリングに指を引っ掛けにくくなってしまうからである。従って、口部の径が小さい容器に適用する場合（調味料等を収容した容器の口部径はほとんどのものが小さい）、キャップの径自体を大きくすることができないため、必然的にプルリングの径が小さくなってしまい、注出用開口を形成しにくい（スコアを引き裂きにくい）という問題がある。
【０００５】
従って、本発明の目的は、プルリングを有しておらず、プルリングの引っ張りによることなく、内容物の注出用開口を形成することができ、キャップ径が小さい場合にも、内容物の注出用開口を形成することが可能なヒンジキャップを提供することにある。
【課題を解決するための手段】
【０００６】
本発明によれば、頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結され、前記キャップ本体を覆うように設けられている上蓋；
からなるヒンジキャップにおいて、
前記キャップ本体の頂板部には、容器内容液の注出用案内となる注出筒と、該注出筒の内側に形成された注出開口予定部と、該注出開口予定部を閉じるように、該注出開口予定部の周縁に形成された無端状の薄肉部を介して該頂板部と一体に形成されたシール板とが設けられており、
前記上蓋の天板部内面には、前記キャップ本体の注出筒内面と密着するシール用周状突起と、該シール用周状突起の内側に形成され且つ下方に延びている薄肉部引き裂き用の引き裂き具が設けられており、該引き裂き具は、少なくとも上蓋とキャップ本体とのヒンジ連結部とは反対側の部分と該ヒンジ連結部の近傍部分とで、前記シール板の周縁部分に溶着されていることを特徴とするヒンジキャップが提供される。
【０００７】
本発明においては、
（１）前記上蓋は、キャップ本体の筒状側壁外面に設けられている破断可能な開封履歴明示部材によってキャップ本体に固定されており、該開封履歴部材を破断することにより、上蓋の開封が行われること、
（２）前記引き裂き具は、筒状形状を有していること、
（３）前記シール板は、前記注出開口予定部の周縁部の上端もしくは下端に薄肉部を介して一体に形成されて該注出開口予定部を閉じるように設けられていること、
（４）前記シール板は、側断面でみて、中央部が降下したテーパー形状を有していること、
（５）前記注出開口予定部は、前記ヒンジ連結部とは反対側部分において、曲率の小さい小径部が形成された形状を有していること、
（６）少なくとも前記シール板のヒンジ連結部側とは反対側の周縁部は、ヒンジ連結部側に向かって下方に傾斜した傾斜面となっていること、
が好ましい。
【発明の効果】
【０００８】
本発明のヒンジキャップにおいては、キャップ本体の頂板部に形成されている注出開口予定部が、薄肉部を介して該頂板部と一体に形成されているシール板によって閉じられており、このシール板は、閉じられた上蓋の引き裂き具に溶着されている。従って、上蓋を開栓することにより、シール板を接合している薄肉部が引き裂かれ、シール板で閉じられている注出開口予定部が開放され、注出用開口が形成される。このことから理解されるように、本発明によれば、単に上蓋の開栓によってワンタッチで容易に注出開口を形成することができる。即ち、プルリングを設けておらず、注出開口がプルリングの引っ張りにより形成されるものではないため、キャップ径が小径の場合にも、容易に注出開口を形成することができ、口部径が小径の容器にも有効に適用することができる。
【０００９】
また、上蓋に設けられている薄肉部引き裂き用の引き裂き具は、その下端が、少なくともヒンジ連結部とは反対側の部分と、ヒンジ連結部の近傍部分とでシール板に溶着しているため、上蓋の開栓に際して薄肉部の引き裂きをスムーズに行ってシール板を頂板部の注出開口予定部から引き剥がすことができ、しかも引き裂かれたシール板は、該引き裂き具の下端に垂れ下がることなく、しっかりと保持されることとなり、この結果、このシール板を、リシールにも有効に利用することが可能となる。さらに、シール板１３により、上蓋の天板内面に、容器内容液が付着する不都合も回避することができる。
【発明を実施するための最良の形態】
【００１０】
本発明を、以下、添付図面に示す具体例に基づいて説明する。
図１は、本発明のヒンジキャップの上蓋が閉じられている状態での側面断面図であり、
図２は、図１のキャップにおける上蓋を開栓した状態での側面断面図であり、
図３は、図１のキャップの正面図であり、
図４は、図１のキャップの側面図であり、
図５は、図１のキャップの背面図であり、
図６は、図１のヒンジキャップにおいて、成形直後の上蓋を閉じる前の状態を示す側面断面図であり、
図７は、図６の状態のヒンジキャップの平面図であり、
図８は、図１のヒンジキャップの要部拡大図であり、シール板と引き裂き具との接合状態を示す図であり、
図９は、シール板と引き裂き具との接合状態の他の例を示す要部拡大図であり、
図１０は、シール板の形状の他の例を示す側断面図であり、
図１１は、注出開口予定部の形状（シール板の外形に相当）の他の例を示す平面図であり、
図１２は、注出開口予定部の側面形状（シール板の側面形状に相当）の他の例を示す図である。
【００１１】
図１乃至図７（特に図６及び図７）を参照して、本発明のヒンジキャップは、キャップ本体１と、キャップ本体１にヒンジ連結（ヒンジ連結部を２で示す）された上蓋３とから成っており、キャップ本体１は、大まかに言って、頂板部５と、頂板部５の周縁部から垂下している筒状側壁６とから成っている。
【００１２】
頂板部５の内面には、筒状側壁６とは間隔を置いて下方に延びているインナーリング９が形成されている。即ち、このインナーリング９と筒状側壁６との間の空間に容器口部が嵌め込まれてキャップ本体１は、容器口部に装着されるようになっている。
【００１３】
また頂板部５には、内容物取り出し用の開口となる開口予定部１０が形成されており、この開口予定部１０には、無端状に形成されている薄肉部１２を介して該頂板部５と一体に形成されているシール板１３によって閉じられている。即ち、薄肉部１２を引き裂いて、このシール板１３を引き剥がすことにより、開口予定部１０が開放され、この開口予定部１０が注出用開口（図２においてＡで示す）となるわけである。このシール板１３に関しては、後で詳述する。
【００１４】
頂板部５の上面側には、上記の開口予定部１０（シール板１３）を取り囲む様にして、注出筒１５が形成されており、頂板部５に形成された開口Ａを介して取り出される内容物は、この注出筒１５に沿って案内される。この注出筒１５は、上蓋３とのヒンジ連結部２側の背が低く形成されている。注出筒１５の外側部分には、上蓋３を保持するために、背の低い周状突起１６が形成されている。
【００１５】
また、キャップ本体１の筒状側壁６の一部は、上端から下方に延びている弧状スリット２０により、内側壁６ａと外側壁６ｂとに分断されており、内側壁６ａと外側壁６ｂとが下端で連なった二重壁構造が形成されている。このような二重壁構造は、容器内容液注出後のキャップ本体１を容器口部から容易に除去するために形成されているものである。
【００１６】
一方、上蓋３は、キャップ本体１の筒状側壁６（特にスリット２０によって形成されている外側壁６ｂ）の上端部分にヒンジ連結されている。このヒンジ連結部２は、図７から理解されるように、中央の幅広のバンド部２ａと、その周方向両側部に小幅のバンド部２ｂ，２ｂから形成されている。
【００１７】
さらに、ヒンジ連結部２の近傍には、上蓋３を閉じた状態での背面図を示す図５から明らかな通り、外側壁６ｂに、その上端から下端乃至その近傍に延びている軸方向スコア２２が形成され、更に、軸方向スコアと対向するように、内側壁６ａにも下端から上方に延びている内側スコア（図示せず）が形成されている。即ち、上蓋３を開栓した状態で下方に引き下ろすことにより、軸方向スコア２２が引裂かれ、外側壁６ｂが破断し、次に上方に引き上げることにより内側壁６ｂの軸方向スコアが破断し、キャップ本体１を容器口部から容易に取り除くことができるようになっている。
【００１８】
上蓋３は、天板部２５と、天板部２５の周縁から延びているスカート２７とから形成されている。
【００１９】
天板部２５の内面には、シール用の周状突起３０が形成されている。即ち、図１に示されているように、上蓋３を旋回して閉じたとき、シール用の周状突起３０が前記注出筒１５の内面に密着し、この密着により、シール板１３を引き剥がして注出開口Ａを形成したのちのシール性が確保される。
【００２０】
また、上蓋３のスカート２７の内面下方部分には、凹部２７ａが形成されており、前述した周状突起１６の上端の突部１６ａが、この凹部２７ａと係合することにより、閉じられた上蓋３が安定に保持されるようになっている。
【００２１】
さらに、上蓋３のスカート下端の外面には、ヒンジ連結部２とは反対側部分に、開封用の鍔部３１が設けられており、この鍔部３１を指で引っ掛けて上蓋３を上方に持ち上げることにより上蓋３の開封を容易に行うことができる。
【００２２】
また、図１、図３及び図４を参照して、キャップ本体１の筒状側壁６の外面には、上蓋３を閉じたときに上記の鍔部３１が位置する部分に、滑らかな凹面３３が形成されており、さらにこの凹面３３を取り囲むようにして帯状カバー部材３５が、破断可能な弱化線３７を介して、筒状側壁６の外面に接続されている。即ち、この帯状カバー部材３５を引き剥がさないと上蓋３を開封することができないようになっており、これにより、悪戯防止や内容物の品質保証に必要な開封履歴証明機能（タンパーエビデント性）が付与される。
【００２３】
尚、上記の帯状カバー部材３５は、図１から明らかなように、その上方部分の内面に係止突起３９が設けられており、この係止突起３９が、閉じられた上蓋３の開封用鍔部３１の先端外周縁部の上面と係合するようになっている。即ち、閉じられた上蓋３の開封用鍔部３１は、その下面３１ａが帯状カバー部材３５によって完全に外部と遮断されており、且つその先端外周縁部も帯状カバー部材３５の内面に設けられている係止突起３９により覆われているため、この帯状カバー部材３５を、上記弱化線３７を破断して筒状側壁６から引き剥がした後でなければ、上蓋３の開封を行うことができないようになっており、このような帯状カバー３５によって、上蓋３にタンパーエビデント性が付与されることとなる。
【００２４】
また、上記のような開封用用鍔部３１の下面３１ａは、帯状カバー部材３５と非接触の状態に保持されていることが好ましい（図１参照）。即ち、開封用用鍔部３１の下面３１ａが、帯状カバー部材３５と非接触の状態に保持されているときには、帯状カバー部材３５を下側から押し上げても、開封用鍔部３１は押し上げられず、このような押し上げによって開封用鍔部３１が帯状カバー部材３５から飛び出すという不都合が有効に防止され、タンパーエビデント性を向上させることができる。
【００２５】
上述したヒンジキャップは、射出成形等のプラスチックの一体成形により、例えば図６に示すような上蓋３が開放された形態に成形され、成形後、上蓋３を閉じることにより製造されるが、本発明においては、上蓋３の天板部２５の内面に引き裂き具４０が形成されており、図１及び図８の要部拡大図に示されているように、上蓋３が閉じた状態で、該引き裂き具４０の下端が前述したシール板１３の周縁部に溶着されていることが極めて重要である。即ち、本発明のヒンジキャップでは、成形後、上蓋３を閉じた状態で高周波誘導加熱等の手段で加熱を行うことにより、引き裂き具４０の下端がシール板１３の周縁部にヒートシールされている。従って、閉じられた上蓋３を開放することにより、シール板１３と頂板部５とを繋いでいる薄肉部１２が引き裂かれ、開口予定部１０を閉じているシール板１３が頂板部５から引き剥がされ、開口予定部１０が開放され、注出開口Ａが形成されることとなる。
【００２６】
また、上記のような引き裂き具４０は、少なくともシール板１３のヒンジ連結部２とは反対側部分と、ヒンジ連結部２の近傍側部分とに、溶着されていることが必要である。即ち、シール板１３のヒンジ連結部２とは反対側部分で引き裂き具４０の下端が溶着していることにより、上蓋３を開封したときに、薄肉部１２の引き裂きをスムーズに開始させることができる。さらに、ヒンジ連結部２の近傍側部分においても引き裂き具４０の下端に溶着していることにより、上蓋３を開封したときに、図２に示されているように、引き剥がされたシール板１３が垂れ下がることなく、しっかりと引き裂き具４０に保持され、かかるシール板１３をリシールに供することができる。即ち、上蓋３を再び閉じたとき、上記シール板１３によって注出用開口Ａを閉じることができる。
【００２７】
上記のような引き裂き具４０は、ヒンジ連結部２とは反対側部分と、ヒンジ連結部２の近傍側部分とにおいて、シール板１３の周縁部に溶着されている限り、任意の形状を有していてよく、例えば複数の突起により引き裂き具４０が形成されていてもよいが、通常は、引き裂き具４０を、その下端がシール板１３の外形に沿った形状の筒状突起とし、シール板１３の全周にわたって、その下端が溶着されていることが好ましい。
【００２８】
また、本発明においては、図１、図２、図６及び図７に示されているように、上蓋３の内面で、シール用の周状突起３０よりも外側となる部分に、緩衝用の突起４１を設けることが好ましい。この緩衝用の突起４１は、成形直後の図６に示す状態から上蓋３を閉じたとき、前述した引き裂き具４０がシール板１３に接触するのとほぼ同時に頂板部５に接触するものであり、これにより、引き裂き具４０がシール板１３に接触したときの衝撃力を緩和でき、このような衝撃による薄肉部１２の破壊を有効に回避することができる。この緩衝用突起４１は、ヒンジ連結部２の反対側部分を除く領域に設けることが（図７では、３箇所に設けられている）、ヒンジキャップの特性上好ましい。
【００２９】
上記のような本発明のヒンジキャップでは、プルリングを設けることなく、上蓋３の開栓によって注出用開口Ａを形成できるため、小径のキャップでも容易に注出用開口Ａを形成できる。  また、上蓋３の天板部２５の内面がシール板１３で保護されており、容器内容液で汚染されないという利点もある。さらに、シール板１３により引き裂き具４０の下端が閉じられた状態にあるため、この引き裂き具４０が形成する空間内に、懸賞品などを収容しておくという利用方法もある（この場合、天板２５側から懸賞品の出し入れを行うようにする必要がある）。
【００３０】
また、図１及び図８で示されている例においては、シール板１３は、開口予定部１０の周縁部上端側に薄肉部１２を介して接続されているが、引き裂き具４０の開栓により、この薄肉部１２の引き裂きがスムーズに行われる限り、その接合形態は、上記の例に限定されるものではなく、例えば、図９に示されるように、開口予定部１０の周縁部下端側に薄肉部１２を介してシール板１３が接続されている構造とすることもできる。
【００３１】
さらに、本発明においては、シール板１３をフラットな平板状とする以外に種々の形状とすることができる。例えば、図１０の側断面図に示すように、シール板１３の側断面形状が、中央部１３ａが降下したテーパー形状（即ち、逆三角形状）とすることができる。シール板１３をこのような形状とするときには、容器内容液が、シール板１３に付着しにくいという利点がある。また、シール板１３を、このように引き裂き開始側（ヒンジ連結部２とは反対側であり、図１０中、Bで示す）から中央部１３ａ側に向かって下方に傾斜させることにより、引き裂き開始特性を向上させ、さらに、中央部１３ａからヒンジ連結部２側に向かって上方に傾斜させることにより、引き裂き開始に続く引き裂き抵抗を低減させることができる。
【００３２】
また、注出開口予定部１０の形状（シール板１３の外形に相当）は、通常、円形或いは楕円形であるが、図１１に示すように、この注出開口予定部１０の形状を、ヒンジ連結部２とは反対側部分（図中、Bで示す）において、曲率の小さい小径部１０ａを有する形状とすることもできる。このような小径部１０ａを形成することにより、上蓋３を開栓する際、この小径部１０ａに応力が集中するため、薄肉部１２の引き裂きをスムーズに開始することができる。
【００３３】
さらに、注出開口予定部１０のヒンジ連結部２とは反対側の部分Ｂ（シール板１３のヒンジ連結部２側とは反対側の周縁部に相当）が、図１２に示すように、ヒンジ連結部２側に向かって下方に傾斜した傾斜面とすることによっても、薄肉部１２の引き裂きをスムーズに開始することができる。即ち、この場合には、薄肉部１３の引き裂きが開始される部分において、引き裂き具４０の長さが短くなるため、大きな力を薄肉部１２の引き裂き開始部分に加えることができるからである。
【００３４】
上述した本発明のヒンジキャップは、引き裂き具４０がシール板１３に溶着されるため、ヒートシール可能な熱可塑性樹脂により形成される。
【図面の簡単な説明】
【００３５】
【図１】本発明のヒンジキャップの上蓋が閉じられている状態での側面断面図である。
【図２】図１のキャップにおける上蓋を開栓した状態での側面断面図である。
【図３】図１のキャップの正面図である。
【図４】図１のキャップの側面図である。
【図５】図１のキャップの背面図である。
【図６】図１のヒンジキャップにおいて、成形直後の上蓋を閉じる前の状態を示す側面断面図である。
【図７】図６の状態のヒンジキャップの平面図である。
【図８】図１のヒンジキャップの要部拡大図であり、シール板と引き裂き具との接合状態を示す図である。
【図９】シール板と引き裂き具との接合状態の他の例を示す要部拡大図である。
【図１０】シール板の形状の他の例を示す側断面図である。
【図１１】注出開口予定部の形状（シール板の外形に相当）の他の例を示す平面図である。
【図１２】注出開口予定部の側面形状（シール板の側面形状に相当）の他の例を示す図である。
【符号の説明】
【００３６】
１：キャップ本体
３：上蓋
５：頂板部
１０：注出開口予定部
１２：薄肉部
１３：シール板
４０：引き裂き具
【図１】
2005289389.tif 000003
【図２】
2005289389.tif 000004
【図３】
2005289389.tif 000005
【図４】
2005289389.tif 000006
【図５】
2005289389.tif 000007
【図６】
2005289389.tif 000008
【図７】
2005289389.tif 000009
【図８】
2005289389.tif 000010
【図９】
2005289389.tif 000011
【図１０】
2005289389.tif 000012
【図１１】
2005289389.tif 000013
【図１２】
2005289389.tif 000014